Podtech/llm-jp-corpus-v4-ja_patent huggingface dataset:
(57)【要約】【課題】底抜けしない段ボール箱のフラップロックを提供する。【解決手段】一対の側壁１から延出した側フラップ４に切込８を設け、他対の端壁２から延出した端フラップ５の両側部に先端側へ延びる差込片１０を形成し、端フラップ５を横方向の折目１３沿いに屈曲させつつ差込片１０を切込８に差し込み、端フラップ５の折り曲げを伸ばして、側フラップ４と端フラップ５とを係止する段ボール箱のフラップロックにおいて、差込片１０の内縁から抜止片１１を延出し、この抜止片１１を差込片１０に折り重ねつつ、差込片１０と共に切込８に差し込むと、抜止片１１が復元して、差込片１０が切込８から抜け止めされるようにする。【選択図】  図３
2004338758.tif 000002
【特許請求の範囲】
【請求項１】
一対の側壁１から延出した側フラップ４に切込８を設け、他対の端壁２から延出した端フラップ５の両側部に先端側へ延びる差込片１０を形成し、端フラップ５を横方向の折目１３沿いに屈曲させつつ差込片１０を切込８に差し込み、端フラップ５の折り曲げを伸ばして、側フラップ４と端フラップ５とを係止する段ボール箱のフラップロックにおいて、差込片１０の内縁から抜止片１１を延出し、この抜止片１１を差込片１０に折り重ねつつ、差込片１０と共に切込８に差し込むと、抜止片１１が復元して、差込片１０が切込８から抜け止めされるようにしたことを特徴とする段ボール箱のフラップロック。
【発明の詳細な説明】
【０００１】
【発明の属する技術分野】
この発明は、段ボール箱のフラップを閉止した状態に保持するロックの構造に関するものである。
【０００２】
【従来の技術】
従来より、粘着テープやステープル等の封緘材を使用せずに、段ボール箱の天面側フラップを閉止した状態に保持するため、図５に示すような構造のロックが採用されることがある。
【０００３】
このロックにおいては、一対の側壁５１から延出した側フラップ５３に切込５５が設けられ、他対の端壁５２から延出した端フラップ５４の両側部に先端側へ延びる差込片５６が形成されている。
【０００４】
そして、端フラップ５４を横方向の折目５７沿いに屈曲させつつ差込片５６を切込５５に差し込み、端フラップ５４の折り曲げを伸ばすと、側フラップ５３と端フラップ５４とが重なり合って係止される。
【０００５】
【発明が解決しようとする課題】
しかしながら、上記のようなロックでは、差込片５６が切込５５から抜けやすいため、このロックを段ボール箱の底面に使用すると、箱内に重量物を収納したとき、底抜けする恐れがあった。
【０００６】
そこで、この発明は、底抜けしない段ボール箱のフラップロックを提供することを課題とする。
【０００７】
【課題を解決するための手段】
上記課題を解決するため、この発明は、端フラップに形成した差込片の内縁から抜止片を延出し、この抜止片を差込片に折り重ねつつ、差込片と共に側フラップの切込に差し込むと、抜止片が復元して、差込片が切込から抜け止めされ、側フラップと端フラップとが確実に係止されるようにしたのである。
【０００８】
【発明の実施の形態】
以下、この発明の実施の形態を添付図面に基づいて説明する。
【０００９】
図１に示す段ボール箱のブランクでは、各一対の側壁１及び端壁２が交互に連設され、一方の側壁１の外縁に継代３が設けられている。各側壁１及び端壁２の下縁には長い側フラップ４及び端フラップ５が、上縁には短い側フラップ６及び端フラップ７がそれぞれ連設されている。
【００１０】
側フラップ４には、内向きコ字状の切込８が一対形成され、その内側は抑制片９とされている。端フラップ５には、両側部に先端側へ延びる差込片１０が形成され、その内縁から抜止片１１が延出されると共に、抜止片１１に臨む中突片１２が形成され、基端から間隔をおいて幅方向の折目１３が入れられている。
【００１１】
上記のようなブランクを段ボール箱に組み立てるには、図２に上下反転した状態で示すように、各一対の側壁１及び端壁２を角筒状に折り曲げ、継代３を反対側の端壁２に貼着して周壁を形成し、側フラップ４を閉じ、端フラップ５を横方向の折目１３沿いに屈曲させつつ、差込片１０を切込８に差し込む。
【００１２】
このとき、抜止片１１を差込片１０に折り重ねた状態で、差込片１０と共に切込８に差し込むと、抑制片９及び中突片１２の作用に補助されて、端フラップ５の折り曲げが伸ばされ、図３に正立状態に戻して示すように、抜止片１１が基端折目の反発により復元して、差込片１０が切込８から抜け止めされる。
【００１３】
その後、箱内に物品を収納し、図４に示すように、側フラップ６及び端フラップ７を順次重なるように折り曲げると、粘着テープやステープル等の封緘材を使用することなく、天面の中央部に開口部が残存した状態で、この段ボール箱を封緘することができる。
【００１４】
上記のような段ボール箱では、底面側のロックにより、側フラップ４と端フラップ５とが重なり合った状態で確実に係止されるので、重量のある物品を収納した場合にも、段ボール箱の底抜けが防止される。
【００１５】
また、差込片１０を切込８に差し込む際、差込片１０に抜止片１１を折り重ねているため、段ボールの中芯の強度が弱くても、差込片１０が曲がって切込８に差し込みにくくなることがない。
【００１６】
そのほか、この段ボール箱のブランクは、使用材料が増加することもなく、通常の溝切り形段ボール箱と同様の工程において、部分的な型を追加するだけで製造できるので、コストがかからず、安価に供給することができる。
【００１７】
ところで、上記実施形態では、この発明に係るロックを段ボール箱の底面に適用した例を示したが、このような構造のロックは、厳密な封緘が必要な段ボール箱の天面に使用することもできる。
【００１８】
【発明の効果】
以上のように、この発明に係るロックでは、抜止片を差込片に折り重ねつつ、差込片と共に側フラップの切込に差し込むと、抜止片が復元して、差込片が切込から抜け止めされるので、側フラップと端フラップとが確実に係止され、段ボール箱の底面に適用した場合、その底抜けを防止することができる。
【図面の簡単な説明】
【図１】この発明に係るロックを備えた段ボール箱のブランクを示す図
【図２】同上の底組み過程を底面側から示す斜視図
【図３】同上の底組み状態を天面側から示す斜視図
【図４】同上の封緘状態を天面側から示す斜視図
【図５】従来のロックを備えた段ボール箱を示す斜視図
【符号の説明】
１  側壁
２  端壁
４  側フラップ
５  端フラップ
８  切込
１０  差込片
１１  抜止片
【図１】
2004338758.tif 000003
【図２】
2004338758.tif 000004
【図３】
2004338758.tif 000005
【図４】
2004338758.tif 000006
【図５】
2004338758.tif 000007
(57)【要約】【課題】仕向地によって内容が異なる同梱物を箱詰めする場合、誤同梱の有無を容易に確認することができるようにする。【解決手段】言語の異なる取扱説明書１１、１２、電池１６、ＡＣアダプタ１７など仕向地によって異なる仕様のもの、充電器１８やメディア１９など同梱したりしなかったりするものなど、すべてのものに異なる無線タグを取付け、仕向地ごとの無線タグの組合せを箱外から無線タグ読取装置で読取って確認する。【選択図】        図１
2004338744.tif 000002
【特許請求の範囲】
【請求項１】
種類の異なる同梱物に種類の異なる無線タグを取付け、仕向地ごとの同梱物の無線タグの組み合わせを箱外から検知して仕向地を確認することを特徴とする箱内収納物の確認方法。
【発明の詳細な説明】
【０００１】
【発明の属する技術分野】
本発明は、仕向地ごとに一部が異なる内容物を収納した箱内収納物の異同を判別し確認する確認方法に関する。
【０００２】
【従来の技術】
同種類の製品を箱詰めにして送る場合に、仕向地によって同梱物の内容が異なる場合がある。例えば、取扱説明書の言語が異なる場合とか、ＡＣアダプタのプラグの規格が異なる場合とか、ＣＤ−ＲＯＭの言語違いとか、あるいは、充電器同梱の有無、メディア同梱の有無などが仕向地によって異なる。このような製品においては、従来は同梱物の誤梱包、入れ忘れを防止するため、梱包の際、特定のセット数を決め、それと同数の同梱物を準備し、特定の数を製品として作り上げた際に同梱物に入れ忘れ（余ったもの）がないか否かを確認して同梱物の誤梱包の有無をチェックしていた。
【０００３】
取扱説明書等のような収納したか否か解りにくいものを、バーコードや箱構造により解りやすくした技術がある（例えば、特許文献１参照。）。その内容は次の通りである。仕向地などに対して極めて関連の深い対応を有する取扱説明書の周面にバーコードを印刷するとともに、この取扱説明書を丸めて緩衝部材凹部に挿入する。取扱説明書は、ほどけようとする力で周面に密着して抜け落ちなくなり、バーコードが上面より視認可能な位置に保持される。この緩衝部材を被梱包物として梱包箱体内に収容し、梱包箱体の上面に形成した小穴を通して、バーコードを外部から視認可能にしておき、梱包作業現場でバーコードリーダを利用してバーコードの情報を読み取り、適切な作業指示を与えることができるというものである。
【０００４】
このような技術では、箱に孔をあけて内容物のバーコードを読む必要があり、また、このバーコード読取りでは同梱物の異同を１つのバーコードだけで間接的に判断していることとなるので、１００％確実とはいえない。
【０００５】
【特許文献１】
特開平１０−２６４９６８号公報
【０００６】
【発明が解決しようとする課題】
本発明は、上記従来技術の欠点を除去し、それぞれの同梱物に無線タグを取り付けることにより、個装箱（又は輸送箱）及び取扱説明書収納箱（又は袋）等を個別化せずに共通化しても、無線タグに登録された各情報を検知することにより、収納内容物をすべて箱の外から確認することができるようにし、誤梱包、入れ忘れを完全に防止することを目的とする。
【０００７】
【課題を解決するための手段】
本発明は、種類の異なる同梱物に種類の異なる無線タグを取付け、仕向地ごとの同梱物の無線タグの組み合わせを箱外から検知して仕向地を確認することを特徴とする箱内収納物の確認方法である。本発明では、各々の同梱物に異なる種類を判別することができる無線タグをそれぞれ取り付け、これらの組合せを確認することにより、正しい内容物が梱包されたか否かを箱の外から確認することができる。
【０００８】
種類の異なる無線タグとしては、無線タグの周波数が異なる値に設定した無線タグとすることでもよく、無線タグ内蔵する個別情報の内容を個別的に設定した無線タグとすることでもよく、また、これらを組合わせた差別化手段を採ってもよい。
【０００９】
【発明の実施の形態】
以下図面を参照して本発明の実施の形態を説明する。
【００１０】
図１は本発明の同梱物収納段階の説明図である。個装箱１に仕向地ごとに異なる同梱物を収納する。各同梱物にはそれぞれ異なる無線タグを取付けておく。
【００１１】
仕向地ごとに異なる取扱説明書、例えば英文取扱説明書１１、仏文取扱説明書１２など、仕向地によって異なる取扱説明書を取扱説明書収納袋（箱）１３に封入して、これを個装箱１中に収納する。取扱説明書は特に仕向地に対して極めて関連性が深いものである。製品本体１４、ケーブル１５、電池１６、ＡＣアダプタ１７、充電器１８、メディア（記録装置）１９などを収納する。電池１６は、充電式電池であったり、非充電式電池であったり仕向地ごとに異なる場合があり、ＡＣアダプタ１７は仕向地によりプラグや電圧などの仕様が異なる。例えば日本国内、北米、英国、欧州諸国など、明確に区別しておかなければならない。また、充電器１８、メディア１９なども、同梱する場合と同梱しない場合などがある。これらの同梱品の組合せは、予め定められたマニュアルに従ってなされる。
【００１２】
図２はこのような仕向地ごとに異なる同梱物を収納した個装箱１の箱内収納物を確認する工程を示したものである。多数の個装箱１はベルトコンベア２１上を進行方向２３の方向に順次輸送される。ベルトコンベア２１の途中に無線タグ読取装置２２が配設されている。無線タグ読取装置２２は仕向地ごとに定めされた組合せの同梱物が収納されているか否かを、各同梱物に取付けられている無線タグを個装箱１の外部から読み取って、異同を判定する。
【００１３】
図３は図２の平面図であって、個装箱１はベルトコンベア２１上を進行方向２３の方向に順次搬送されている。個装箱１の中に異種の同梱物の入った箱２を無線タグ読取装置２２が検出したら、除去装置２４がその箱２を側方にシフトし、ラインから除外する。
【００１４】
【発明の効果】
本発明によれば、仕向地などによって変る取扱説明書の言語や付属品の仕様などについて、容易に差異を確認することができる。従来、梱包の際、特定のセット数を決めその同梱物に余りがあった場合、誤まって梱包されたものが正規の梱包にまじった場合、既に作り上げた箱（製品）をすべて箱を開けて再確認する必要があったが、本発明によれば、特定のセット数を作り上げる必要がなくなり、また、誤同梱の箱があれば、箱外から即時に確認して区別することができる。
【図面の簡単な説明】
【図１】本発明方法の同梱物収納段階の説明図である。
【図２】箱内収納物の確認工程の説明図である。
【図３】箱内収納物の確認工程の説明図である。
【符号の説明】
１    箱
２    異種の同梱物の入った箱
１１    取扱説明書（英文）
１２    取扱説明書（仏文）
１３    取扱説明書収納袋（箱）
１４    製品本体
１５    ケーブル
１６    電池
１７    ＡＣアダプタ
１８    充電器
１９    メデイア（記録装置）
２１    ベルトコンベア
２２    無線タグ読取装置
２３    進行方向
２４    除去装置
【図１】
2004338744.tif 000003
【図２】
2004338744.tif 000004
【図３】
2004338744.tif 000005
(57)【要約】【課題】ｉＴＶカメラの撮影者を広げると共に乗りかご内の全体を把握しながら、同時に出入口ドア側に向いた乗客の顔のみならず姿を記録できるようにすること。【解決手段】乗客の顔のみならず姿が撮影できるように乗りかご内に工業用テレビジョンカメラが取り付けられたエレベーターにおいて、上記乗りかご内の出入口ドアに対し後面角部側天井部分４に取り付けられた上記工業用テレビジョンカメラ１と、上記乗りかご内の上記出入口ドア３に近い運転盤取り付け側板の、運転盤５より高い位置に上記工業用テレビジョンカメラ１に反射可能に球面状の凸面鏡８を設けたものである。【選択図】        図１
2004338858.tif 000002
【特許請求の範囲】
【請求項１】
乗客の顔が撮影できるように乗りかご内に工業用テレビジョンカメラが取り付けられたものにおいて、上記乗りかご内の出入口側に対し後面角部側天井部分に取り付けられた上記工業用テレビジョンカメラと、上記乗りかご内の上記出入口側に近い運転盤取り付け側板の、運転盤より高い位置に上記工業用テレビジョンカメラに反射可能に、且つ、出入口側より乗りかご内の全面が写るように取り付けられた凸面鏡とを設けたことを特徴とするエレベーターの防犯装置。
【発明の詳細な説明】
【０００１】
【発明の属する技術分野】
本発明は、エレベーターの防犯装置の改良に関する。
【０００２】
【従来の技術】
エレベーターの乗りかご内防犯装置として工業用テレビジョン（以下ｉＴＶと言う）を乗りかごの出入口ドアに対し後面角部の天井部分に取り付け、出入口ドア、運転盤の取り付け側板、及び出入口に近い側板に鏡を一般成人の額の高さに近い位置に取り付ける構造となっている（例えば、特許文献１参照。）。
【０００３】
【特許文献１】
特開昭６１−８１３７７号公報  （第２頁右上欄、第１図、第２図）
【０００４】
【発明が解決しようとする課題】
ところで、上述したかご内の防犯装置においては、鏡の取り付け位置が一般成人の額の高さと高いことから乗客の姿まで写ることができなかった。又、かご内全面を写すために鏡が複数枚必要になるという問題があった。
【０００５】
本発明は上記の状況に鑑みなされたものであり、その目的は、乗りかご内の防犯ｉＴＶの機能を向上できるエレベーターの防犯装置を提供することにある。
【０００６】
【課題を解決するための手段】
この目的を達成するために本発明は、乗客の顔が撮影できるように乗りかご内に工業用テレビジョンカメラが取り付けられたものにおいて、上記乗りかご内の出入口側に対し後面角部側天井部分に取り付けられた上記工業用テレビジョンカメラと、上記乗りかご内の上記出入口側に近い運転盤取り付け側板の、運転盤より高い位置に上記工業用テレビジョンカメラに反射可能に、且つ、出入口側より乗りかご内の全面が写るように取り付けられた凸面鏡とを設けたものである。
【０００７】
本発明は上記の構成にしてあることから、一台の工業用テレビジョンカメラと一枚の球面状の凸面鏡を設けることにより、かご内奥側と出入口側より乗りかご内の上方のみならず下方も写すことができる。
【０００８】
【発明の実施の形態】
以下本発明の一実施形態を図面によって説明する。
【０００９】
図１は本発明の一実施形態による乗りかごの平面図、図２は図１の左側面図である。
【００１０】
ｉＴＶカメラ１は乗りかご２の出入口ドア３に対し後側面角部の天井４部分に取り付け、球面状の凸面鏡８は運転盤５の取り付け側板６の上部に取り付けられ、ｉＴＶカメラ１に反射可能に乗りかご２の内部全面が写るように取り付ける。
【００１１】
このように構成した実施形態によれば、ｉＴＶカメラ１の撮影者を広げると共に乗りかご２内の全体を把握しながら、同時に出入口ドア側に向いた乗客の顔のみならず姿を記録でき、防犯ｉＴＶ機能の向上ができる。
【００１２】
【発明の効果】
本発明は以上のように構成したことから、ｉＴＶカメラの撮影者を広げると共に乗りかご内の全体を把握しながら、同時に出入口ドア側に向いた乗客の顔のみならず姿を記録でき、防犯ｉＴＶ機能の向上を図ることができる。
【図面の簡単な説明】
【図１】本発明の一実施形態による乗りかごの平面図である。
【図２】図１の左側面図である。
【符号の説明】
１  ｉＴＶカメラ
２  乗りかご
５  運転盤
６  側板
８  球面状の凸面鏡
【図１】
2004338858.tif 000003
【図２】
2004338858.tif 000004
(57)【要約】【課題】案内ローラに対して何等の加工を施すことなく、案内ローラから移動手摺へのごみの付着を防止することのできる乗客コンベアを提供する。【解決手段】無端状に連結される複数の踏段１と、この踏段１と同期して回動する移動手摺２と、この移動手摺２の表面に接触し、この移動手摺２の案内を行うローラ４とを備えた乗客コンベアにおいて、前記移動手摺２の表面全長に亘り、前記ローラ４の幅より広く、且つ、移動手摺２の平坦面５に接着固定されるフィルム６を備えた構成。【選択図】      図１
2004338855.tif 000002
【特許請求の範囲】
【請求項１】
無端状に連結される複数の踏段と、この踏段と同期して回動する移動手摺と、この移動手摺の表面に接触し、この移動手摺の案内を行うローラとを備えた乗客コンベアにおいて、
前記移動手摺の表面全長に亘り、前記ローラの幅より広く、且つ、移動手摺の平坦面に接着固定されるフィルムを備えたことを特徴とする乗客コンベア。
【請求項２】
前記フィルムを色付きとしたことを特徴とする請求項１記載の乗客コンベア。
【請求項３】
前記フィルムに文字を付加したことを特徴とする請求項１又は２記載の乗客コンベア。
【発明の詳細な説明】
【０００１】
【発明の属する技術分野】
本発明は、エスカレータなどの乗客コンベアに関する。
【０００２】
【従来の技術】
図３は一般的な乗客コンベアであるエスカレータの全体構成を示す説明図である。一般にエスカレータは、図３に示すように、無端状に連結される複数の踏段１と、この踏段１と同期して回動する移動手摺２とを備えており、この移動手摺２の戻り側には、移動手摺２を駆動する駆動プーリ３と、移動手摺２を移動方向に沿って案内する多数の案内ローラ４とが設けられている。
【０００３】
ところで、上述した従来技術では、駆動ローラ３や案内ローラ４は移動手摺２の表面上を転動するので、移動手摺２の表面に付着したごみ等の異物が駆動ローラ３や案内ローラ４に転移して、駆動ローラ３や案内ローラ４の外周面に前記のごみ等の異物がこびり付いたり、逆に、駆動ローラ３や案内ローラ４の外周面に付着したごみ等の異物が移動手摺２に転移して、移動手摺２の表面に前記のごみ等の異物がこびり付くこともあった。したがって、エスカレータを長い時間稼動させると、移動手摺２の表面がごみ等の異物によって汚れるため、意匠性を損なうという問題があった。
【０００４】
このような問題を防ぐため、前記案内ローラの外表面に、この外周面を被覆するフィルムを備えたものが提案されている。（例えば特許文献１参照）
【０００５】
【特許文献１】
特開平８−３３３０７４号公報
（段落番号００１３〜００１９、図２）
【０００６】
【発明が解決しようとする課題】
上記提案されたものでは、案内ローラの表面にフィルムを被覆するため、既設の乗客コンベアに用いた場合、乗客コンベアを停止し、案内ローラの位置する外装板、移動手摺等を除去してからでないと作業を行うことができず、多大の時間と労力を要するという問題があった。
【０００７】
本発明は、このような従来技術における実情に鑑みてなされたもので、その目的は、案内ローラに対して何等の加工を施すことなく、案内ローラから移動手摺へのごみの付着を防止することのできる乗客コンベアを提供することにある。
【０００８】
【課題を解決するための手段】
この目的を達成するため、本発明では、無端状に連結される複数の踏段と、この踏段と同期して回動する移動手摺と、この移動手摺の表面に接触し、この移動手摺の案内を行うローラとを備えた乗客コンベアにおいて、前記移動手摺の表面全長に亘り、前記ローラの幅より広く、且つ、移動手摺の平坦面に接着固定されるフィルムを備えたことを特徴とする。
【０００９】
前記のように構成した本発明によれば、移動手摺の表面全長に亘り、ローラの幅より広く、且つ、移動手摺の平坦面に接着固定されるフィルムを備えているため、駆動ローラや案内ローラが接触する面の移動手摺を汚損することはない。しかも、フィルムが汚損した場合は、この汚損したフィルムを交換すればよく、作業性の良いものを提供できる。
【００１０】
【発明の実施の形態】
以下、本発明の乗客コンベアの実施の形態を図に基づいて説明する。
【００１１】
図１は本発明の一実施形態になる乗客コンベアに用いられる移動手摺の斜視図、図２は案内ローラと移動手摺との関係を示す図３のＡ―Ａ断面図である。
【００１２】
図１、２において、移動手摺２の表面には、駆動ローラ３や案内ローラ４の幅より広く、且つ、移動手摺２の平坦面５に接着固定されるフィルム６を備えている。７は乗客コンベアの構造体で、この構造体７に軸９を備えた支持体８が固設され、前記軸９に案内ローラ４が回転可能に軸支されている。
【００１３】
図２に示すように、移動手摺２の表面に設けられたフィルム６が、案内ローラ４に接触しながら移動するようになっている。このように、案内ローラ２に接触するのは、移動手摺２の表面に設けられたフィルム６であるため、案内ローラ４が汚損しても移動手摺２にごみを転移させることはない。また、フィルム６にごみが転移し、このフィルム６が汚損した場合には、このフィルム６を交換すればよく、簡単に現状復帰を図ることができる。また、このフィルム６をカラー色のものを用いればより汚損の目立たないものとすることができる。また、フィルム６に文字等を付加すれば宣伝にも用いることができ、一挙両得の効果を得ることができる。
【００１４】
なお、この例では案内ローラ４からのごみ付着について説明したが、駆動ローラ３からの付着に関しても防止することができる。
【００１５】
【発明の効果】
本発明によれば、移動手摺の表面全長に亘り、ローラの幅より広く、且つ、移動手摺の平坦面に接着固定されるフィルムを備えているため、駆動ローラや案内ローラが接触する面の移動手摺を汚損することはない。しかも、フィルムが汚損した場合は、この汚損したフィルムを交換すればよく、作業性の良いものを提供できる。
【図面の簡単な説明】
【図１】本発明の一実施形態になる乗客コンベアに用いられる移動手摺の斜視図である。
【図２】案内ローラと移動手摺との関係を示す図３のＡ―Ａ断面図である。
【図３】一般的な乗客コンベアであるエスカレータの全体構成を示す説明図である。
【符号の説明】
１      踏段
２      移動手摺
３      駆動ローラ
４      案内ローラ
５      平坦部
６      フィルム
【図１】
2004338855.tif 000003
【図２】
2004338855.tif 000004
【図３】
2004338855.tif 000005
(57)【要約】【課題】診断運転の進行状態を把握することのできるエレベーターの遠隔監視診断装置を提供することにある。【解決手段】エレベーターの制御装置２１に端末装置１を接続し、この端末装置１からの指示によってエレベーターを診断運転させ、この診断運転の開始状態をエレベーターのホールに設置されたエレベーター行き先階表示装置２３に表示するようにしたエレベーターの遠隔監視装置において、前記診断運転の全運転項目数を読み出し、現在実施している診断運転と前記全運転項目数とを比較し、結果をエレベーターのホールに設置されたエレベーター行き先階表示装置２３に表示する。【選択図】        図１
2004338861.tif 000002
【特許請求の範囲】
【請求項１】
エレベーターの制御装置に端末装置を接続し、この端末装置からの指示によってエレベーターを診断運転させ、この診断運転の開始状態をエレベーターのホールに設置されたエレベーター位置表示装置に表示するようにしたエレベーターの遠隔監視診断装置において、前記診断運転の全運転項目数を読み出し、現在実施している診断運転と前記全運転項目数とを比較し、前記診断運転の進行状態を前記エレベーター位置表示装置に表示するようにしたことを特徴とするエレベーターの遠隔監視診断装置。
【請求項２】
請求項１におけるエレベーターの遠隔監視診断装置において、前記診断運転の開始状態表示と前記診断運転の進行状態を交互に前記エレベーター位置表示装置に表示することを特徴とするエレベーターの遠隔監視診断装置。
【発明の詳細な説明】
【０００１】
【発明の属する技術分野】
本発明は、エレベーターの診断をエレベーター自体が自動で行うエレベーターの遠隔監視診断装置に関する。
【０００２】
【従来の技術】
一般にエレベーターの遠隔監視診断装置は、エレベーターの制御装置に端末装置を接続し、この端末装置からの指示によってエレベーターを診断運転させ、この診断運転の開始状態をエレベーターのホールに設置されたエレベーター位置表示装置に表示するようになっていた（例えば、特許文献１参照。）。
【０００３】
【特許文献１】
特開２０００−３０１７３号公報  （段落番号００２７、第３図）
【０００４】
【発明が解決しようとする課題】
上記の如く、エレベーターを診断運転させた時に、エレベーターのホールに設置されたエレベーター位置表示装置に診断運転の開始状態を表示していたため、診断運転が何時終了するか分からないという問題があった。
【０００５】
本発明の目的は、診断運転の進行状態を把握することのできるエレベーターの遠隔監視診断装置を提供することにある。
【０００６】
【課題を解決するための手段】
上記目的を達成するために、本発明は、エレベーターの制御装置に端末装置を接続し、この端末装置からの指示によってエレベーターを診断運転させ、この診断運転の開始状態をエレベーターのホールに設置されたエレベーター位置表示装置に表示するようにしたエレベーターの遠隔監視診断装置において、前記診断運転の全運転項目数を読み出し、現在実施している診断運転と前記全運転項目数とを比較し、前記診断運転の進行状態を前記エレベーター位置表示装置に表示するようにしたことを特徴とする。
【０００７】
このような手段を設けたことにより、診断運転の進行状態を把握することができる。
【０００８】
【発明の実施の形態】
以下、本発明の一実施の形態を図１、図２により説明する。
【０００９】
図１は本発明の一実施形態による遠隔監視システムのシステム構成図、図２は本発明の一実施形態による診断運転の運転内容を示す図、図３は本発明の一実施形態による診断運転の開始状態と現在の進行状態を表示するエレベーター位置表示装置である。
【００１０】
図１において、１はエレベーター状態を診断する遠隔監視診断装置、２はエレベーター、２１はエレベーターを制御するエレベーター制御装置、２２はエレベーターの位置を表示するエレベーター位置表示装置２３を制御する表示制御部である。また、図２において、３１、３２はエレベーター状態を診断する遠隔監視診断装置１が行う診断運転の内容である。また、図３において、４１、４２はエレベーターの位置を表示するエレベーター位置表示装置２３の詳細図でドット表示が可能である。
【００１１】
エレベーター２は、診断運転制御部１１からエレベーターＩ／Ｆ１７を介してエレベーター制御装置２に発せられた診断運転３１、３２を行う。そして、エレベーター制御装置２１が診断運転を行っている時、表示制御部２２は、エレベーターの位置を表示するエレベーター位置表示装置２３に「診断運転中」という文字を表示することが可能である。
【００１２】
次に、本発明の動作を図１のシステム構成図、および図２の診断運転の運転内容を示す図、および図３のエレベーター位置表示装置詳細図を用いて説明する。
【００１３】
図１において、診断運転制御部１１からの指令によりエレベーター２が診断運転を開始すると、診断運転全ステップ数演算処理部１２によって診断運転開始から終了までのステップ数が算出される。今、３１の診断運転１と３２の診断運転２を実施する場合、ステップ１１〜１ｎまでの全ステップ数ｎとステップ２１〜２ｎまでの全ステップ数Ｎを加算し、「ｎ＋Ｎ」となる。診断運転経過状態検出部１３は、診断運転が開始してから現在までの実施数を算出する。今、３１の診断運転１のステップ１３（低速ＵＰ）まで進んだとすると、現在までのステップ数は「３」となる。演算結果表示指令部１４では、診断運転全ステップ数演算処理部１２と診断運転経過状態検出部１３の結果から、現在実施している診断運転が全体の何割進んでいるかを表示制御部２２に発し、表示制御部２２によって、エレベーターの位置を表示するエレベーター位置表示装置２１に表示させている。表示方法は、エレベーターの位置を表示するエレベーター位置表示装置２３の詳細図４１に示すとおり、「３／（ｎ＋Ｎ）」個分のドットを表示させている。その後、全ての診断運転が終了すると４２に示すとおり全ドットを表示させている。
【００１４】
さらに、エレベーター制御装置２１が診断運転開始時に、表示制御部２２は、エレベーターの位置を表示するエレベーター位置表示装置２３に「診断運転中」という文字と前記診断運転の進行状態が分かる表示方法を交互に表示させている。
【００１５】
【発明の効果】
以上のように本発明によれば、診断運転の開始状態と現在の進行状態を、ホールに設置されたエレベーター位置表示装置に表示するようにしたので、現在実施している診断運転が全体の何割実施したか把握することができる。
【図面の簡単な説明】
【図１】本発明の一実施形態を示す遠隔監視システム構成図である。
【図２】本発明の実施形態のエレベーター状態を診断する遠隔監視診断装置が行う診断運転の内容を示す説明図である。
【図３】本発明の実施形態のエレベーターの位置を表示するエレベーター位置表示装置の詳細図である。
【符号の説明】
１  端末装置（遠隔監視診断装置）
２１  エレベーターの制御装置
２３  エレベーターの位置表示装置（行き先階表示装置）
【図１】
2004338861.tif 000003
【図２】
2004338861.tif 000004
【図３】
2004338861.tif 000005
(57)【要約】【課題】ファミリーレストラン・テーマパークの食堂・レストラン・屋外会場・ホテルパーティ会場等で客が集中する時間帯に、お客が注文した物や料理が混雑の為に遅くなったり間違いが起こりやすくなる事を解決するためには、人数を増やさないと解決できない。自動的に天井を搬送して客へ物や料理を間違いなく早く運ぶ為、人件費が削減出来る。またその搬送機に幼児・子供達の人気物キャラクターグッズ等を描き、客を楽しませリピート等の集客が出来る。【解決手段】食堂やレストランの天井を利用して、客９が注文した物や料理を天井レール１０で天井搬送機４が、厨房料理人１が作った物や料理を  行き先釦箱３のスイッチで行き先を選択して  客９のテーブル１３まで搬送して天井搬送機に付いている昇降装置５で降ろして客９に渡す装置。【選択図】          図１
2004338822.tif 000002
【特許請求の範囲】
【請求項１】
物及び料理をキャラクターグッズ付き天井搬送機で、上下に昇降する昇降装置と横搬送する搬送装置との組み合わせによる、物及び料理を搬送するシステム。
また、それらにキャラクターグッズ等を描いて、幼児・子供達の人気者とさせる。
【発明の詳細な説明】
【０００１】
食堂及びレストラン等で客が注文した物及び料理をキャラクターグッズ付き天井搬送機内に収納し、厨房から人が指定した場所へ天井部を搬送して、指定場所へ搬送、到着後物及び料理を降ろして客のテーブルまで届ける装置。
【従来の技術】
【０００２】
従来は、食堂及びレストラン等では、食堂及びレストランの従業員が注文をもらった客のテーブルまで厨房から運んでいました。
また、客が直接  物及び料理の置かれた所まで取りに行き、客の使用しているテーブルまで運んでいた。
【０００３】
【発明が解決しようとする課題】
現在、ファミリーレストラン及びテーマパーク等の入場者は１日に３００人〜２０００人位である、まして昼食時間ともなれば食堂及びレストランには客が集中する、３００人〜５００人位収容する食堂及びレストランで、客が注文した物及び料理を注文した客の所へ  早く間違いなく搬送するのは難しく客から料理や物が遅い又は間違っていると言う苦情が大変多い、従業員を増やせばある程度は解決するが、客が集中する時間帯に合わせて増やす事は不可で人件費も高騰する、人件費の削減にもなるので請求項１の発明で人件費が削減される。
【発明が解決する為の手段】
請求項１の発明で、目的を達成するために従来の天井搬送機に物や料理を運ばせるシステム。
【０００４】
【作用】
請求項１の発明によりこのロボットは人の代行を行うので人件費が削減出来る、またロボットに色々な機能を付け、人気者キャラクターグッズを作り幼児・子供達を楽しませ  リピーターをねらう。
【０００５】
【発明の実施の形態】
以下に本発明の実施の形態を図面に基づいて説明する。
本実施の形態は、図１の食堂及びレストランの平面図と  図２の側面図である。
【０００６】
お客９が物や料理を注文して、人１が完成した物や料理４′をリフト５に載せ行き先釦箱３の釦を押すと、リフト４が作動して搬送リフト６，７の状態になり、搬送用天井レール１０と搬送用天井レールＬ字１１と搬送用天井レールＴ字１２を通じて、客９のテーブル１３に物や料理を降ろす。降ろしたら昇降リフト５が上がり、帰り搬送天井レール１６で物や料理を置くテーブル２で待機して次のお客の注文を待つ。
【０００７】
この装置での搬送中、搬送機６の充電が少なくなったら、天井搬送機用充電装置１４で、充電中天井搬送１５の状態で充電を行う。
【図面の簡単な説明】
【図  １】食堂及びレストランの平面図である。
【図  ２】食堂及びレストランの側面図である。
【符号の説明】
１．      厨房の料理人
２．      物または料理を置くテーブル
３．      行き先釦箱
４．      天井搬送機
４′    完成した物や料理
５．      天井搬送装置に付いている昇降装置
６．      搬送中天井搬送機
６′    搬送機停止センサー
７．      搬送中天井搬送機
８．      物や料理を降ろし中天井搬送機
８′    客９への天井搬送機の停止センサー
９．      お客
１０．  搬送機用天井レール
１１．  搬送天井レールＬ字
１２．  天井搬送レールＴ字
１３．  客用テーブル
１４．  天井搬送機用充電装置
１５．  充電中天井搬送機
１６．  帰り搬送天井レール
【図１】
2004338822.tif 000003
【図２】
2004338822.tif 000004
(57)【要約】【課題】冬季等の気温の低い時期でもカバーや点字名板に触れた場合に冷たい感じが無く、不快感のない操作しやすいエレベータ用操作盤を提供するものである。【解決手段】金属製カバーの表面に操作ボタンを設け、かつこの操作ボタンの一側部に近接して金属製点字名板を並設したものにおいて、金属製カバーの裏面に、カバー及び点字名板を暖める保温用ヒーターを設けたものである。また、金属製カバーの裏面に温度センサーを設け、温度センサーにより保温用ヒータを制御して、カバー及び点字名板の温度を一定に保つ。【選択図】      図２
2004338832.tif 000002
【特許請求の範囲】
【請求項１】
金属製カバーの表面に操作ボタンを設け、かつこの操作ボタンの一側部に近接して金属製点字名板を並設してなるエレベータ用操作盤において、前記金属製カバーの裏面に、前記カバー及び点字名板を暖める保温用ヒーターを設けたことを特徴とするエレベータ用操作盤。
【請求項２】
金属製カバーの裏面に温度センサーを設け、この温度センサーにより保温用ヒーターを制御して、カバー及び点字名板の温度を一定に保つことを特徴とする請求項１記載のエレベータ用操作盤。
【請求項３】
温度センサーを、金属製カバーの裏面の中央部に配設したことを特徴とする請求項１又は請求項２記載のエレベータ用操作盤。
【発明の詳細な説明】
【０００１】
【発明の属する技術分野】
この発明はエレベータの操作ボタンを操作するためのエレベータ用操作盤に関するものである。
【０００２】
【従来の技術】
従来のエレベータ用操作盤においては、前面に操作ボタン、点字名板を並設して備えた金属製の操作カバーを操作盤収納箱の前面に取り付けて構成している（例えば、特許文献１参照）。
【０００３】
【特許文献１】
実開平１−７８６６６号公報（第３頁、第５−６図）
【０００４】
【発明が解決しようとする課題】
上記従来のエレベータ用操作盤にあっては、視覚障害者がエレベータに乗るためにカバーや点字名板に触る必要がある。しかし、冬季等の気温の低い時期は金属製のカバーや点字名板が冷えきっており、視覚障害者が指で触ると冷たく感じるという問題点があった。特に、視覚障害者はその操作する指が点字名板まで行き着くまでの間、金属製のカバーに触る必要があるため、健常者でも冷たく感じる時期は視覚障害者にとっては普通以上に顕著に感じることになる。
【０００５】
この発明は、上述のような課題を解決するためになされたもので、その目的は、冬季等の気温の低い時期でもカバーや点字名板に触れた場合に冷たい感じが無く、不快感のない操作しやすいエレベータ用操作盤を提供するものである。
【０００６】
【課題を解決するための手段】
この発明に係るエレベータ用操作盤は、金属製カバーの表面に操作ボタンを設け、かつこの操作ボタンの一側部に近接して金属製点字名板を並設したものにおいて、金属製カバーの裏面に、カバー及び点字名板を暖める保温用ヒーターを設けたものである。
【０００７】
【発明の実施の形態】
実施の形態１．
図１はこの発明の実施の形態１におけるエレベータ用操作盤を示す正面図、図２は図１のＩＩ−ＩＩ線の拡大断面図である。
図において、エレベータ用操作盤は、前面にフェースプレートと呼ばれる金属製カバー１が設けられ、このカバー１の左側表面の上下に接着剤等により２個の金属製点字名板２が取り付けられている。また、点字名板２の右側部に近接するようにして、カバー１の中央部の上下に２個の操作ボタン３（上りボタン、下りボタン）が並設されている。上記点字名板２及び操作ボタン３を備えたカバー１は、エレベータ用操作盤を設置する乗場ホールの壁面あるいはエレベータかご室の壁面に埋め込まれた収納箱４の前面にビス等により取り付け固定されている。そして、金属製カバー１の裏面に、カバー１及び点字名板２を暖める保温用ヒーター５を取り付けている。
【０００８】
このように構成されたエレベータ用操作盤においては、冬季等の気温の低い時期は金属製のカバーや点字名板が冷えきっている。そのような場合に保温用ヒーター５の電源を入れて暖めると、その熱でカバー１、点字名板２が暖められる。従って、視覚障害者等の利用者が指でカバー１や点字名板２に触れても冷たく感じることがなく、むしろ暖かい感じとなり、不快感がなく操作ボタン３を操作することができる。特に、視覚障害者はその操作する指が点字名板まで行き着くまでの間、金属製のカバーに触る時間が長くなるため、健常者でも冷たく感じる時期は視覚障害者にとっては心優しい気配りとなる。
【０００９】
実施の形態２．
図３はこの発明の実施の形態２におけるエレベータ用操作盤を示す縦断面図である。
この実施の形態２は、上記した実施の形態１の構成に加えて、金属製カバー１の裏面側のほぼ中央部に温度センサー６を取り付け、周囲温度の変化があっても金属製のカバー１や点字名板２の温度をほぼ一定に保つように構成したものである。例えば、カバー１の温度が上がり過ぎると、温度センサー６が検知してヒーター５の電源をオフにする。反対に、カバー１の温度が下がった場合にはヒーター５の電源をオンにする。このように金属カバー１や点字名板２の温度をほぼ一定に保ち、暖かくすることにより、上記実施の形態１と同様の効果を得て、しかも経済的に使用することができる。
【００１０】
【発明の効果】
この発明は以上説明したように、金属製カバーの表面に操作ボタンを設け、かつこの操作ボタンの一側部に近接して金属製点字名板を並設したものにおいて、金属製カバーの裏面に、カバー及び点字名板を暖める保温用ヒーターを設けたので、冬季等の気温の低い時期でも視覚障害者等の利用者がカバーや点字名板に触れても冷たい感じが無く、不快感がなく操作ボタンを操作することができる。特に、視覚障害者はその操作する指が点字名板まで行き着くまでの間、金属製のカバーに触る時間が長くなるため、健常者でも冷たく感じる時期は視覚障害者にとっては有難いものとなる。
【図面の簡単な説明】
【図１】この発明の実施の形態１におけるエレベータ用操作盤を示す正面図である。
【図２】この発明の実施の形態１におけるエレベータ用操作盤の図１のＩＩ−ＩＩ線の拡大断面図である。
【図３】この発明の実施の形態１におけるエレベータ用操作盤を示す縦断面図である。
【符号の説明】
１  金属製カバー（フェースプレート）
２  金属製点字名板
３  操作ボタン（上りボタン、下りボタン）
４  収納箱
５  保温用ヒーター
６  温度センサー
【図１】
2004338832.tif 000003
【図２】
2004338832.tif 000004
【図３】
2004338832.tif 000005
(57)【要約】【目  的】この発明は、並ぶ互い違いに向かい合う足のバネ性によってアルバムやファイルなどの冊子を挟み込み容易にページ数を増やしたり減らしたり出来るようにした綴じ具に関するものである。【構  成】並ぶ互い違いに向かい合う足を適当な間隔にたて、それぞれの足が向かい合う足と食い違うまでもしくは面一まで延ばす。この向かい合った足のバネ性を利用して冊子を挟み込むものである。【選択図】図１
2004338354.tif 000002
【特許請求の範囲】
【請求項１】
並ぶ互い違いに向かい合う足のバネ性によってアルバムやファイルなどの冊子を挟み込み、容易にページ数を増やしたり減らしたり出来るようにしたファイル用綴じ具に関するものである。
【発明の詳細な説明】
この発明は、並ぶ互い違いに向かい合う足のバネ性によってアルバムやファイルなどの冊子を挟み込み、容易にページ数を増やしたり減らしたり出来るようにしたファイル用綴じ具に関するものである。
従来のこれらのファイル用綴じ具はページを増やしたり減らしたりする場合一度すべてをはずす必要があったり、またネジその他の部品を使うものはその部品を紛失してしまう可能性やコスト高を招くことの欠点があった。    本発明は、その欠点を解消するために発明されたもので、これを図面で説明すれば並ぶ互い違いに向かい合う足を適当な間隔にたて、それぞれの足が向かい合う足と食い違うまでもしくは面一まで延ばす。この向かい合った足の間にそのバネ性を利用して冊子をはさむ。取るときはただ単に引っ張るだけではずれる。バネ性を持っている足が互い違いに向かい合っているために柔軟性が大きく一枚から数十枚まではさむことが出来る。素材は金属に限ることなく樹脂その他のものでも良い。
こうすることにより、安価で部品をなくすことなく容易にページを増やしたり減らしたり出来るファイル用綴じ具を提供できる。
【図面の簡単な説明】
【図１】本発明斜視図
【図２】冊子をはさみこんだ斜視図
【図３】足の延ばし方を示した側面図
【符号の説明】
１．互い違いに向かい合う足
２．冊子
３．綴じ具
４．面一まで延ばした足
５．食い違うまで延ばした足
【図１】
2004338354.tif 000003
【図２】
2004338354.tif 000004
【図３】
2004338354.tif 000005
(57)【要約】【課題】片方の手に，糊付けしたい紙類（写真、封筒等）を持ち、片方の手で糊付けホッチキスを持って，台金具と糊出口の間に糊付けしたい位置をはさみ，ホッチキスを使う感覚で，糊付けできるようにした糊付けホッチキスを提供し，従来の糊付け作業では，机を汚したり，下敷きを用意しなければならなかった点を解消する。【解決手段】液状糊容器の糊出口を直角に曲げて、この糊出口と台金具の凹みをつけて、弾力性を持たせた部分との間に，糊付けしたい紙類等をはさみ，糊容器に圧力をかけ、液状糊を押し出し糊付けできるようにした糊付けホッチキスである。そして、糊容器に圧力をかけて液状糊を押し出す際に、糊が少なくなった場合，空気が糊出口の近くに溜まる状態になると、液状糊は正常に押し出されないので，糊容器の内部に糊出口に繋がるチューブを取り付けて、糊容器の中身が少なくなってもチューブの先端が液状糊の中に浸っていれば，糊容器に圧力をかけることで，液状糊はチューブの中を通って押し出されるようにした糊付けホッチキス。【選択図】  図１
2004338359.tif 000002
【特許請求の範囲】
【請求項１】
（イ）    液状糊容器の糊出口を直角に曲げて、この糊出口と台金具の凹みを付けた部分との間に，糊付けしたい紙類などをはさみ，糊容器に指先で圧力をかけることによって液状糊を押し出し、糊付けできるようにした糊付けホッチキス。
（ロ）    糊容器に圧力をかけて糊を押し出す際に，糊が少なくなった場合、空気が糊出口の近くにたまる状態になると、糊は正常に押し出されないので，糊容器内部に糊出口に繋がるチューブを取り付けて、糊容器の中身が少なくなってもチューブの先端が液状糊の中に浸っていれば、圧力をかけることで液状糊がチューブの中を通って押し出されるようにした糊付けホッチキス。
【発明の詳細な説明】
【０００１】
【発明の属する技術分野】
この発明は，紙類，布類等の糊付けしたいものに，ホッチキスを使う感覚で液状糊を糊付けできるようにした糊付け器具に関するものである。
【０００２】
【従来の技術】
従来、紙などに糊付けする場合は、糊容器のキャップを取って、スポンジノズル形式等の糊出口を紙類等にこすりつける事で糊付けしていた。
【０００３】
【発明が解決しようとする課題】
従来の糊付け方法で作業を行う時、糊付けする対象物の端から糊がはみ出して机の上を汚すことがあり、また、机を汚す事を防ぐために下敷きなどを用意しなければならなかった。あるいは、ペーパークラフトの工作作業などにおいて小さな紙切れなどに糊付けする場合、小さな紙切れを保持し、ピンポイントに糊付けすることが，困難であった。
【０００４】
【課題を解決するための手段】
台金具（１）に、凹みを付けて弾力性を持たせるようにした部分（２）を取り付けて，糊容器（５）に対して直角に曲げた糊出口（６）との間に、紙類等の糊付けしたい物を挟み，（７）の押圧具に、指先で，圧力をかけることによって，糊容器（５）の液状糊を押し出し，糊付けできるようにした糊付けホッチキスである。そして、糊容器（５）に圧力をかけて液状糊を押し出す際に、糊が少なくなった場合、空気が糊出口の近くにたまる状態になると、糊は正常に押し出されないので，糊容器（５）内部に、糊出口（６）に繋がるチューブを取り付けて、糊容器（５）の中身が少なくなってもチューブの先端が液状糊の中に浸っていれば、糊容器（５）に圧力をかけることで，液状糊は，チューブの中を通って押し出されるようにした糊付けホッチキス。
【０００５】
【発明の実施の形態】
以下、本発明の実施の形態について説明する。
（イ）    台金具（１）に、凹みを付けて弾力性を持たせるようにした部分（２）を取り付ける。
（ロ）    糊容器（５）の保持具（３）、（４）を、芯棒（１０）を支点として動くように取り付ける。
（ハ）    保持具（３）、（４）は、バネ（１１）の力で糊容器（５）を挟み保持する。
（ニ）    保持具（３）、（４）は台金具（１）に取り付けられたバネ（９）によって支えられている。
（ホ）    保持具（３）には、わずかな力で糊容器（５）に圧力をかけられるように，（８）の蝶番を支点として動く（７）の押圧具を取り付る。
（ヘ）    糊容器（５）内部に，糊出口に繋がるチューブを取り付ける。
以上のように構成された本発明を使用する時は，糊出口（６）と台金具（１）の凹み部分（２）の間に糊付けしたい紙類等を挟むように置いて，押圧具（７）を押さえることによって，糊容器（５）に圧力をかけると同時に、台金具（１）の軸（１０）を支点として、糊容器（５）が装着された保持具（３）、（４）がバネ（９）を押さえながら，糊出口（６）を台金具（１）の凹み部分に接近させて，間に挟まれた紙類等に液状糊を塗布する事ができる。
【０００６】
【本発明の効果】
本発明は，以上のような構造で，これを使用する時は，左手に糊付けしたい紙類等を持ち，右手に糊付けホッチキスを持って，右手親指で，押圧具（７）を押さえながら糊付けホッチキスを右、左と動かす事で，容易に、机を汚すことなく下敷きを使うことなく、糊付けすることができるのである。
【図面の簡単な説明】
【図１】本発明の斜視図である。
【図２】本発明の側面図である。
【図３】本発明の正面図である。
【図４】本発明の背面図である。
【符号の説明】
１  台金具    ２  凹みをつけて弾力性を持たせた部分
３  保持具（Ａ）    ４  保持具（Ｂ）    ５  糊容器    ６  糊出口
７  押圧具    ８  蝶番    ９  バネ    １０  芯棒    １１  バネ
【図１】
2004338359.tif 000003
【図２】
2004338359.tif 000004
【図３】
2004338359.tif 000005
【図４】
2004338359.tif 000006